(57)【要約】【課題】複数の領域それぞれに異なる画質処理を行い、波形モニタを表示可能な映像表示装置において、画質設定の状態に応じて適切に波形モニタを表示することで、波形モニタの視認性を向上する手法を提案する。【解決手段】映像信号を入力する入力手段と、複数の領域それぞれに異なる画質処理を適用可能な画質処理手段と、前期画質処理の設定を取得し、それぞれの領域で波形モニタのスケールが同一かを判定する判定手段と、生成された波形モニタを表示する波形モニタ表示手段とを有し、前期判定手段の判定結果をもとに波形モニタを生成することを特徴とする。【選択図】図１
2019047360.tif 000002
【特許請求の範囲】
【請求項１】
複数領域それぞれに異なる画質処理が可能な画質処理部と、
前記複数領域の画質処理設定に基づいて波形モニタの生成処理を判定する判定部と、
前記判定部の判定に基づき波形モニタを生成する生成部と、
を有することを特徴とする表示装置。
【請求項２】
前記判定部は、前記複数領域それぞれにかけられている画質処理設定のガンマに基づき、領域ごとで波形モニタのスケールが異なっているか否かによって波形モニタを１つ生成するか複数生成するかを判定することを特徴とする請求項１に記載の表示装置。
【請求項３】
前記判定部は、前記複数領域それぞれにかけられている画質処理設定のガンマに基づき、領域ごとで波形モニタのスケールが異なっているか否かによって波形モニタを１つ生成するか、中央でスケール分割された１つの波形モニタを生成するかを判定することを特徴とする請求項１に記載の表示装置。
【請求項４】
少なくとも２つの映像信号を入力する入力部をさらに有し、かつ入力映像を合成する映像合成部を有する請求項１に記載の表示装置。
【請求項５】
前記判定部は、前記映像合成部により、複数の映像を同時に表示している場合に波形モニタを複数生成すると判定することを特徴とする請求項４に記載の表示装置。
【請求項６】
前記判定部は、さらに前記映像合成部により、映像を複製して同時に表示している場合、かつ画質処理設定の全画面画質処理設定のみが変更されている場合に波形モニタを１つ生成すると判定することを特徴とする請求項５に記載の表示装置。
【請求項７】
前記判定部は、さらに前記映像合成部により、映像を複製して同時に表示している場合、かつ画質処理設定のガンマから、領域ごとで波形モニタのスケールが異なっている場合に波形モニタを複数生成すると判定することを特徴とする請求項６に記載の表示装置。
【請求項８】
前記判定部は、さらに前記映像合成部により、映像を複製して同時に表示している場合、かつ画質処理設定のガンマから、領域ごとで波形モニタのスケールが異なっていない場合に、前記生成部に出力する映像信号を切り替えることを特徴とする請求項７に記載の表示装置
【請求項９】
前記判定部は、さらに前記映像合成部により、映像を複製して同時に表示している場合、かつ画質処理設定のガンマから、領域ごとで波形モニタのスケールが異なっていない場合に、波形モニタを複数生成すると判定することを特徴とする請求項８に記載の表示装置。
【発明の詳細な説明】
【技術分野】
【０００１】
本発明は、複数の領域それぞれに異なる画質処理を行い、画質処理に応じた波形モニタを表示可能な映像表示装置およびその制御方法に関する。
【背景技術】
【０００２】
映像制作用の表示装置には、画面上に同時に複数の映像を表示し、それぞれの領域に個別に画質処理をかける機能や、波形モニタ表示機能を有しているものがある。
【０００３】
また、広いダイナミックレンジ（ＨＤＲ：Ｈｉｇｈ  Ｄｙｎａｍｉｃ  Ｒａｎｇｅ）の画像や映像を取り扱う機会が増えてきており、ＨＤＲの規格としてＰＱ（Ｐｅｒｃｅｐｔｕａｌ  Ｑｕａｎｔｉｚｅｒ）や、ＨＬＧ（Ｈｙｂｒｉｄ  Ｌｏｇ‐Ｇａｍｍａ）といったガンマが規定された。
【０００４】
波形モニタにおいては、最適に信号レベルを表現するために、波形モニタの縦軸の値、つまりスケールを、あるガンマでは０〜１００％、またＰＱならば、０〜１００００ｎｉｔｓ（ｎｉｔｓは画面の明るさを示す単位）、ＨＬＧならば０．０〜１．０といったようにガンマに応じて変化させるものがある。
【０００５】
波形モニタの表示形式を制御する従来技術としては、特許文献１で提案されているような手法が存在する。具体的には、ニー設定時は波形モニタの高輝度部分を拡大表示し、セットアップレベル設定時は低輝度部分を拡大表示するというものである。これによって、波形モニタの視認性を向上させている。
【先行技術文献】
【特許文献】
【０００６】
【特許文献１】特開２０１４−１０７７９９号公報
【発明の概要】
【発明が解決しようとする課題】
【０００７】
撮影現場において、表示装置の画面領域それぞれに個別の画質処理を行う場合がある。例えば、ＰＱなどのＨＤＲ表示と、ガンマ２．２などのＳＤＲ表示を比較、確認するときなどである。
【０００８】
その場合、波形モニタ―のスケールも画質設定に応じた表示をする必要があるが、特許文献１のように、部分的に波形モニタを拡大する手法では、複数の画質処理設定がされている場合に対応できずユーザーの所望したスケールで波形モニタが表示されない場合がある。
【０００９】
本発明は上記のような点に鑑み、表示装置の画面領域にかけられた画質処理の設定に応じて、波形モニタの表示形式を切り替える手法を提供することを目的とする。
【課題を解決するための手段】
【００１０】
映像信号を入力する入力手段と、複数の領域それぞれに異なる画質処理を適用可能な画質処理手段と、前期画質処理の設定を取得し、それぞれの領域で波形モニタのスケールが同一かを判定する判定手段と、生成された波形モニタを表示する波形モニタ表示手段とを有し、前期判定手段の判定結果をもとに波形モニタを生成することを特徴とする。
【発明の効果】
【００１１】
本発明によれば、表示装置にかかる複数の画質処理によって、それぞれの領域で波形モニタのスケールが異なる場合の波形モニタの視認性が向上する。
【図面の簡単な説明】
【００１２】
【図１】実施例１における表示装置の構成要素を示すブロック図
【図２】実施例１における画質処理設定情報を示したテーブル
【図３】ガンマ種別と波形モニタスケールの種別を示す図
【図４】実施例１におけるスケール判定結果に応じた波形モニタ生成の処理を示すフローチャート
【図５】実施例１における波形モニタ表示画面例
【図６】実施例１において１つの波形モニタで異なるスケールを表現する場合の波形モニタ表示画面例
【図７】実施例２における表示装置の構成要素を示すブロック図
【図８】実施例２における波形モニタ生成処理判定結果に応じた波形モニタの生成の処理を示すフローチャート
【図９】実施例２における波形モニタ表示画面例
【発明を実施するための形態】
【００１３】
[実施例１]
本発明の第一の実施形態について説明する。本実施例では表示装置が左右画面それぞれに異なる画質処理をかけている場合に、左右画面にかけられた画質処理をもとに、波形モニタの表示形式を制御する例について説明する。
【００１４】
図１は、本実施例における映像表示装置１００の構成を示すブロック図である。映像表示装置１００は、入力部１０１、画質処理部１０２、波形モニタ合成部１０３、スケール判定部１０４、波形モニタ生成部１０５、表示部１０６から構成される。入力部１０１はＳＤＩ規格に準じたＳＤＩ入力端子である映像受信部を備えており、受信した入力信号を、表示装置１００の内部で処理可能な映像信号の形式に変換し、変換後の映像信号を画質処理部１０２へ出力する。入力部１０１はまた前記映像信号を波形モニタ生成部１０５へ出力する。
【００１５】
画質処理部１０２は、入力部１０１より受信した映像信号に対し、ユーザーが設定したガンマを適用し、画質処理後の映像信号を波形モニタ合成部１０３へ出力する。画質処理部１０２はまた、入力部１０１より受信した映像信号に対して行う画質処理設定を保持する。ここで、画質処理設定は図２のようなテーブルで保持されている。ガンマは左右画面に異なる設定をすることが可能であるため、左右画面での設定をそれぞれ保持する。「ガンマ」とは、入力信号にかけるガンマ補正の設定であり、ガンマ２．２、ガンマ２．６、ＨＬＧ、ＰＱが設定できるものとする。
【００１６】
図３は、本発明におけるガンマ設定と波形モニタのスケール種別を示すテーブルである。本発明ではガンマ設定によって波形モニタのスケール種別を３種類に分類する。具体的には、ガンマ２．２、２．６時はＩＲＥスケール、ガンマＨＬＧ時はＨＬＧスケール、ガンマＰＱ時はＰＱスケールに分類する。
【００１７】
波形モニタ合成部１０３は画質処理部１０２より受信した映像信号と、波形モニタ生成部１０５より受信した波形モニタを重畳するように合成し、合成映像を表示部１０６へ出力する。
【００１８】
スケール判定部１０４は画質処理部１０２から左右画面の画質処理設定を取得し、波形モニタのスケールが異なっているか否かを判定する判定部である。本実発明では、左右画面で波形モニタのスケールが異なっているかの判定を、画質処理設定のガンマの種別に基づき判定を行う。また判定した結果を波形モニタ生成部１０５へ出力する。
【００１９】
波形モニタ生成部１０５は、スケール判定部１０４で、左右画面で波形モニタのスケールが異なっていると判定された場合、入力部１０１から受信した映像信号から、それぞれのスケールの波形モニタを２つ生成する。また、生成した波形モニタを波形モニタ合成部１０３へ出力する。表示部１０６はバックライトと液晶パネルから構成されており波形モニタ合成部１０３より受信した映像を表示装置１００の画面に表示する。
【００２０】
次に図４を用いて、本実施例における波形モニタ生成処理を説明する。波形モニタを生成する際、ステップＳ１０１において、スケール判定部１０４は画質処理部１０２より画質処理設定を取得し、処理はステップＳ１０２に進む。ステップＳ１０２において、スケール判定部１０４はステップＳ１０１で取得した画質処理設定のガンマから、左右画面で波形モニタのスケールが異なっているかを判定する。例えば、左画面のガンマをＨＬＧ、右画面のガンマを２．２としている場合は、ステップＳ１０２において、左右画面で波形モニタのスケールが異なっていると判定され（ステップＳ１０２のＹｅｓ）、スケール判定部１０４はその判定結果を波形モニタ生成部１０５へ出力し、処理はステップＳ１０３へ進む。
【００２１】
ステップＳ１０３において波形モニタ生成部１０５はスケール判定部１０４から受信した判定結果と、入力部１０１から受信した映像信号からそれぞれのスケールの波形モニタを２つ生成する。また、ステップＳ１０２において、例えば、左画面のガンマが２．６、右画面のガンマが２．２と設定されている場合は、左右画面で波形モニタのスケールが異なっていないと判定され（ステップＳ１０２のＮｏ）、スケール判定部１０４はその判定結果と画質処理部１０２より受信した映像信号を波形モニタ生成部１０５へ出力し、処理はステップＳ１０４へ進む。ステップＳ１０４において、波形モニタ生成部１０５は、スケール判定部１０４から受信した判定結果と、入力部１０１から受信した映像信号から、単一のスケールの波形モニタを１つ生成する。
【００２２】
次に、図５を用いて、ステップＳ１０２において、左右画面で波形モニタのスケールが異なっていると判定された場合の波形モニタ表示画面例について説明する。図５の点線は画質処理の境界を示しており、点線より左側は左画面ガンマが適用され、右側は右画面ガンマが適用される。例えば、左画面のガンマがＨＬＧ、右画面のガンマが２．２と設定されている場合は、左画面に表示される波形モニタのスケールはＨＬＧとなり、右画面に表示される波形モニタのスケールはＩＲＥとなる。
【００２３】
以上、説明したように、本発明では、複数の領域に個別に画質処理をかけられる表示装置において、左右画面の波形モニタのスケールが異なっている場合に、波形モニタをそれぞれのスケールで２つ生成する。これにより、波形モニタの視認性を向上させることができる。
【００２４】
以上の説明において、左右画面で波形モニタのスケールが異なっている場合に波形モニタを２つ生成するとしたが、図６に示すように、左画面のガンマがＨＬＧなら左半分をＨＬＧのスケール、右画面のガンマが２．２なら右半分をＩＲＥのスケールというように、波形モニタの中央でスケール分割された１つの波形モニタを生成するものとして実施しても構わない。
【００２５】
以上の説明において、画質処理設定情報は、図２に示すようなテーブルであるとしたが、より詳細な画質設定項目によって構成されるものとして実施しても構わない。
[実施例２]
本発明における第二の実施例について説明する。本実施例では、左右画面で異なる映像を表示している場合（以下ＤｕａｌＶｉｅｗ）、または、異なる画質設定や画質処理の適用前後の映像を比較するときなど、１つの入力映像を複製し、同じ映像を左右画面に表示し、それぞれに異なる画質処理を適用する場合（以下１入力ＤｕａｌＶｉｅｗ）において、表示装置が行っている画質処理に応じて波形モニタの表示形式を制御する例について説明する。
【００２６】
図７は映像装置２００の構成を示すブロック図である。実施例１と同様の働きをするブロックについては説明を省略する。第一入力部２０１および第二入力部２０２は、受信した信号を表示装置２００で表示可能な映像信号に変換し、映像合成部２０３へ出力する。また、第一入力部２０１および第二入力部２０２は、前記映像信号を波形モニタ生成部２０６へ出力する。映像合成部２０３は、現在設定されている表示モードに応じて、第一入力部２０１および第二入力部２０２より入力された映像信号を合成する。また、その表示モードを保持する。
【００２７】
ここで、表示モードとは、「ＤｕａｌＶｉｅｗ」、「１入力ＤｕａｌＶｉｅｗ」のいずれかを示すモードであり、ユーザーにより設定される。映像合成部２０３は、表示モードが「ＤｕａｌＶｉｅｗ」であった場合は、第一入力部２０１より受信した第一映像信号および第二入力部２０２より受信した第二映像信号を左右の領域に配置するよう合成して画質処理部２０４へ出力する。また、表示モードが「１入力ＤｕａｌＶｉｅｗ」であった場合は、前記第一映像信号を複製し、左右の領域に配置するよう合成して画質処理部２０４へ出力する。
【００２８】
画質処理部２０４は映像合成部２０３より受信した映像信号に対してユーザーが設定したガンマ、モノクロ変換の画質処理およびＬＵＴ（Ｌｏｏｋ  Ｕｐ  Ｔａｂｌｅ）処理による信号処理を行う。またこれらの処理後の映像信号を画質処理後の映像信号と後述する。画質処理部２０４は画質処理後の映像信号を波形モニタ合成部１０３へ出力する。
【００２９】
ここで「モノクロ変換」とは、信号の輝度成分のみを白黒にして表示する機能であり、画面全体にかかる処理である。「ＯＮ」であればモノクロ変換を実行し、「ＯＦＦ」であれば実行しない。また「モノクロ変換」は画面全体にかかる処理であるため、ガンマのように左右個別で設定を保持しない。「モノクロ変換」のように画面全体にかかる画質処理を本発明では全画面画質処理設定として後述する。
【００３０】
またここで「ＬＵＴ処理」とは、映像合成部２０３より受信した映像信号に対しルックアップテーブルを用いて色や階調変換の補正をかける処理である。「ＯＮ」であればＬＵＴ処理を実行し、「ＯＦＦ」であれば実行しない。また、画質処理部２０４は、映像合成部２０３より受信した映像信号に対して行う画質処理設定を保持する。また、画質処理部２０４は、画質処理後の映像信号を波形モニタ生成部２０６へ出力する。
【００３１】
波形モニタ生成処理判定部２０５は、映像信号合成部２０３より取得した表示モード、画質処理部２０４より取得した左右画面の画質処理設定から波形モニタの生成処理を判定し、判定結果を波形モニタ生成部１０５へ出力する。波形モニタ生成処理判定部の詳細な処理については図８を用いて後述する。
【００３２】
波形モニタ生成部２０６は、第一入力部２０１、第二入力部２０２、および画質処理部２０４より受信した映像信号から、それぞれのスケールの波形モニタを生成する。この第一入力部２０１および第二入力部２０２から受信した映像信号を画質処理前の映像信号と後述する。
【００３３】
また、波形モニタ生成部２０６は、波形モニタ生成処理判定部２０５において左右画面でＬＵＴ処理が行われていると判定された場合（ステップＳ２０８のＹｅｓ）、第一入力部２０１より受信した画質処理前の映像信号と画質処理部２０４より受信した画質処理後の映像信号から、それぞれのスケールの波形モニタを生成する。その他は、実施例１と同様の処理をする。
【００３４】
次に、波形モニタ生成処理について図８を用いて説明する。波形モニタを生成する際、ステップＳ２０１において、波形モニタ生成処理判定部２０５は映像合成部２０３より表示モードを取得し、画質処理部２０４より画質処理設定を取得し、処理はステップＳ２０２に進む。
【００３５】
ステップＳ２０２において、波形モニタ生成処理判定部２０５は、ステップＳ２０１で取得した表示モードから、現在の表示状態がＤｕａｌＶｉｅｗか否かを判定する。例えば、表示モードがＤｕａｌＶｉｅｗに設定されているなら、ステップＳ２０２でＤｕａｌＶｉｅｗであると判定され（ステップＳ２０２のＹｅｓ）、波形モニタ生成処理判定部２０５は判定結果を波形モニタ生成部２０６へ出力し、処理はステップＳ２０３に進む。
【００３６】
ステップＳ２０３において、波形モニタ生成部２０６は波形モニタ生成処理判定部２０５から出力された判定結果を受信し、また、第一入力部２０１および第二入力部２０２より受信した画質処理前の映像信号から波形モニタを２つ生成する。またステップＳ２０２において、例えば、表示モードが１入力ＤｕａｌＶｉｅｗというように、表示状態がＤｕａｌＶｉｅｗではないと判定された場合（ステップＳ２０２のＮｏ）、処理はステップＳ２０４へ進む。
【００３７】
ステップＳ２０４において、波形モニタ生成処理判定部２０５は、ステップＳ２０１において画質処理部２０４より取得した画質処理設定から、全画面画質処理設定のみが変化しているかを判定する。例えば左画面のガンマが２．２、右画面のガンマが２．２、モノクロ変換がＯＮ、ＬＵＴ処理がＯＦＦとなっている場合、全画面画質処理設定のみが変化していると判定され（ステップＳ２０４のＹｅｓ）、波形モニタ生成処理判定部２０５は判定結果を波形モニタ生成部２０６へ出力し、処理はステップＳ２０５へ進む。
【００３８】
ステップＳ２０５において、波形モニタ生成部２０６は波形モニタ生成処理判定部２０５から出力された判定結果を受信し、また、第一入力部２０１より受信した画質処理前の映像信号から波形モニタを１つ生成する。また、ステップＳ２０４において、例えば、左画面のガンマが２．６、右画面のガンマがＰＱ、モノクロ変換がＯＦＦ、ＬＵＴ処理がＯＦＦというように、全画面画質処理設定のみが変化していないと判定された場合（ステップＳ２０４のＮｏ）、処理はステップＳ２０６へ進む。
【００３９】
ステップＳ２０６において、波形モニタ生成処理判定部２０５はステップＳ２０１において画質処理部２０４より取得した画質処理設定から、左右画面で設定されたガンマによって波形モニタのスケールが異なるか否かを判定する。例えば、左画面のガンマが２．６、右画面のガンマがＰＱ、モノクロ変換がＯＦＦ、ＬＵＴ処理がＯＦＦという場合、左右画面で設定されたガンマによって波形モニタのスケールが異なっていると判定され（ステップＳ２０６のＹｅｓ）、波形モニタ生成処理判定部２０５は判定結果を波形モニタ生成部２０６へ出力し、処理はステップＳ２０７へ進む。
【００４０】
ステップＳ２０７において、波形モニタ生成部２０６は波形モニタ生成処理判定部２０５から出力された判定結果を受信し、また、第一入力部２０１より受信した画質処理前の映像信号から左右画面にスケールが異なる波形モニタをそれぞれ生成する。また、ステップＳ２０６において、例えば、左画面のガンマが２．６、右画面のガンマが２．６、モノクロ変換がＯＦＦ、ＬＵＴ処理がＯＮというように、左右画面で設定されたガンマによって波形モニタのスケールが異なっていないと判定された場合（ステップＳ２０６のＮｏ）、処理はステップＳ２０８へ進む。
【００４１】
ステップＳ２０８において、例えば左画面のガンマが２．６、右画面のガンマが２．６、モノクロ変換がＯＦＦ、ＬＵＴ処理がＯＮというように、ＬＵＴ処理が行われていると判定された場合（ステップＳ２０８のＹｅｓ）、波形モニタ生成処理判定部２０５は波形モニタ生成部２０６に判定結果を出力し、処理はステップＳ２０９へ進む。
【００４２】
ステップＳ２０９において波形モニタ生成部２０６は波形モニタ生成処理判定部２０５から出力された判定結果を受信し、第一入力部２０１より受信した画質処理前の映像信号と、画質処理部２０４より受信した画質処理後の映像信号それぞれから波形モニタを２つ生成する。
【００４３】
またステップＳ２０８において、例えば左画面のガンマが２．６、右画面のガンマが２．６、モノクロ変換がＯＦＦ、ＬＵＴ処理がＯＦＦというように、ＬＵＴ処理が行われていないと判定された場合（ステップＳ２０８のＮｏ）、波形モニタ生成処理判定部２０５は波形モニタ生成部２０６に判定結果を出力し、処理はステップＳ２１０へ進む。
【００４４】
ステップＳ２１０において、波形モニタ生成部２０６は波形モニタ生成処理判定部２０５から出力された判定結果を受信し、また、第一入力部２０１より受信した画質処理前の映像信号から波形モニタを１つ生成する。
【００４５】
次に、図９を用いて表示装置がＤｕａｌＶｉｅｗ表示または１入力ＤｕａｌＶｉｅｗ表示を行っている場合の波形モニタ表示画面例について説明する。ただし、従来処理であるため、ステップＳ２０８でＮｏと判定された場合の表示例は省略する。
【００４６】
図９（ａ）はステップＳ２０２において表示状態がＤｕａｌＶｉｅｗであると判定された場合の画面例である。この例では、表示モードはＤｕａｌＶｉｅｗ、画質処理設定において左画面ガンマ、右画面ガンマがともに２．２、モノクロ変換がＯＦＦと設定されＬＵＴ処理がＯＦＦと設定されている。左画面に第一入力映像を、右画面に第二入力映像を表示し、それぞれの入力映像の波形をＩＲＥスケールで表示している。
【００４７】
図９（ｂ）はステップＳ２０４において全画面画質処理設定のみが変更されていると判定された場合の画面例である。この例では、表示モードは１入力ＤｕａｌＶｉｅｗ、画質処理設定において左画面ガンマが２．２、右画面ガンマが２．２、モノクロ変換がＯＮと設定され、ＬＵＴ処理がＯＦＦと設定されている。
【００４８】
モノクロ変換は画面全体にかかる画質処理であるが、表示モードが１つの入力映像を複製して左右両画面で表示する設定となっていて、かつ全画面画質処理設定以外の画質処理設定が左右画面で差異がないため、左画面に通常の第一入力映像を表示、右画面に第一入力映像に対してモノクロ変換が行われた映像を表示する。また、左画面にて第一入力映像の波形をＩＲＥスケールで表示している。
【００４９】
図９（ｃ）はステップＳ２０６において左右画面で波形モニタのスケールが異なっていると判定された場合の波形モニタ表示画面例である。この例では、表示モードは１入力ＤｕａｌＶｉｅｗ、画質処理設定において左画面ガンマが２．６、右画面ガンマがＰＱ、モノクロ変換がＯＦＦと設定されＬＵＴ処理がＯＦＦと設定されている。左右両画面に第一入力映像を表示し、その波形を、左画面ではＩＲＥのスケールで、右画面ではＰＱのスケールで表示している。
【００５０】
図９（ｄ）はステップＳ２０８においてＬＵＴ処理が実行されていると判定された場合の波形モニタ表示画面例である。この例では、表示モードは１入力ＤｕａｌＶｉｅｗ、画質処理設定において左画面ガンマ、右画面ガンマがともに２．６、モノクロ変換がＯＦＦと設定されていて、ＬＵＴ処理がＯＮと設定されている。
【００５１】
左画面にＬＵＴ処理が実行される前の第一入力映像、つまり画質処理前の映像と、その波形をＩＲＥのスケールで表示し、右画面にＬＵＴ処理実行後の一入力映像、つまり画質処理後の映像と、その波形をＩＲＥのスケールで表示している。
【００５２】
以上説明したように、本発明では表示装置の表示モードおよび画質処理設定に基づいて波形モニタの表示形式を切り替えることで、それぞれの映像表示状態および画質設定状態毎にユーザーが所望する、波形モニタ表示形式での表示がされている。
【００５３】
例えばＤｕａｌＶｉｅｗ表示を行っている場合は、異なる映像信号を入力されているため、それぞれの映像信号の波形モニタを表示することにより、それぞれの映像信号の波形が確認可能となる。また、同じＤｕａｌＶｉｅｗ表示でも、１入力ＤｕａｌＶｉｅｗ表示中には、モノクロなど全画面画質処理設定のみが変更されている場合は、左右画面それぞれが同じ波形モニタとなるため波形モニタを１つ表示する。
【００５４】
また、左右画面の画質設定が異なる場合、波形モニタのスケールが異なる場合はそれぞれのスケールで複数の波形モニタを表示し、ＬＵＴ処理が行われている場合は、ＬＵＴによる画質処理前後の波形モニタを確認するために、画質処理前後の波形モニタを２つ表示する。
【００５５】
また、以上の説明において、表示装置は２系統の入力信号を左右画面に表示可能なものとしたが、２系統より多い入力信号を受信可能とし、それぞれの映像信号を２画面より多い画面で表示するものとして実施しても構わない。
【００５６】
また、以上の説明において、１入力ＤｕａｌＶｉｅｗ表示時は第一入力映像を複製するものとしたが、ユーザーの指示によって第二入力映像を使用するなど、複製する入力映像を切り替えられるものとして実施しても構わない。
【００５７】
また、以上の説明において、画質処理設定をガンマ、モノクロ変換、ＬＵＴ処理であるとしたが、異なる画像処理でも構わない。
【符号の説明】
【００５８】
１００：表示装置
１０１：入力部
１０２：画質処理部
１０３：波形モニタ合成部
１０４：スケール判定部
１０５：波形モニタ生成部
１０６：表示部
２００：表示装置
２０１：第一入力部
２０２：第二入力部
２０３：映像合成部
２０４：画質処理部
２０５：波形モニタ生成処理判定部
２０６：波形モニタ生成部
【図１】
2019047360.tif 000003
【図２】
2019047360.tif 000004
【図３】
2019047360.tif 000005
【図４】
2019047360.tif 000006
【図５】
2019047360.tif 000007
【図６】
2019047360.tif 000008
【図７】
2019047360.tif 000009
【図８】
2019047360.tif 000010
【図９】
2019047360.tif 000011